Podtech/llm-jp-corpus-v4-ja_patent huggingface dataset:
(57)【特許請求の範囲】
【請求項１】
手帳サイズの撓る厚さのゴム板両面における周囲の縁にプラスチックの縁取りを固着し、ゴム板の両面共をトイレットペーパーに接するパッド面、又は手押し面として使い、便座除菌時にトイレットペーパーと縁取り内側のゴム板面が摩擦力でずれないパッド器具。
【請求項２】
手帳サイズの撓る厚さのゴム板両面における対辺の縁にプラスチックの縁取りを固着し、ゴム板の両面共をトイレットペーパーに接するパッド面、又は手押し面として使い、便座除菌時にトイレットペーパーと縁取り内側のゴム板面が摩擦力でずれないパッド器具。
【請求項３】
手帳サイズの撓る厚さのゴム板片面の周囲の縁にプラスチックの縁取りを固着し、反対面の周囲の縁の縁取りをゴムとし、ゴム板の両面共をトイレットペーパーに接するパッド面、又は手押し面として使い、便座除菌時にトイレットペーパーと縁取り内側のゴム板面が摩擦力でずれないパッド器具。
【請求項４】
手帳サイズの撓る厚さのゴム板片面の対辺の縁にプラスチックの縁取りを固着し、反対面の対辺の縁の縁取りをゴムとし、ゴム板の両面共をトイレットペーパーに接するパッド面、又は手押し面として使い、便座除菌時にトイレットペーパーと縁取り内側のゴム板面が摩擦力でずれないパッド器具。
【発明の詳細な説明】
【技術分野】
【０００１】
本発明は、嵩張らずポケットに収まる便座除菌用のパッド器具に関するものである。
【背景技術】
【０００２】
ショッピングや学校と言った公共施設のトイレの腰掛便器を使う場合、使用者は、便座をきれいに使うための用具がないと困ってしまう。もし、使い捨て便座シートがあっても大きく広げて敷かねばならず又、アルコール系除菌液ディスペンサーがあっても除菌液を含んだトイレットペーパーを手指に密着させて便座を拭かねばならない。
【０００３】
この改善策として、取っ手を有する便座除菌用パッド器具があるが、主に住居用のものである。
【先行技術文献】
【特許文献】
【０００４】
【特許文献１】特許第６４２１２８６号公報
【発明の概要】
【発明が解決しようとする課題】
【０００５】
解決しようとする問題点は、公共施設のトイレの腰掛便器を使うために便座をアルコール系除菌液を含んだトイレットペーパーを用いて拭く場合、手指の荒れを防ぐための除菌用パッド器具がない点である。
【課題を解決するための手段】
【０００６】
本発明は、胸ポケットに収まる便座除菌用の携帯パッド器具である。携帯パッド器具にトイレットペーパーを乗せて除菌液を浸み込ませると、便座近くでうまく裏返せる。
【０００７】
除菌時に、便座側よりもトイレットペーパーと縁取り内側のゴム板面の摩擦力が大きいので、トイレットペーパーから携帯パッド器具はずれない。使用済みのトイレットペーパーは、便器内に落としてもよいし携帯パッド器具を上げて外し摘まんでゴミ箱に入れてもよい。
【発明の効果】
【０００８】
本発明の携帯パッド器具を使用する者は、公共施設のトイレの腰掛便器の便座をアルコール系除菌液を含んだトイレットペーパーで拭く場合に除菌液を含んだトイレットペーパーが手指に密着しないので手指の荒れを防げる。携帯パッド器具は、ポケットに出し入れがたやすく、両面がパッド面として使えるのでポケットから出したらそのまま使え使用後はそのままポケットに収めればよく又、摘まんだときに滑り落としにくい。
【図面の簡単な説明】
【０００９】
【図１】図１は携帯パッド器具上のトイレットペーパーに除菌液をスプレー後の斜視図である。
【図２】図２は携帯パッド器具による除菌時の斜視図である。
【図３】図３はゴム板両面における周囲の縁にプラスチックの縁取りがある携帯パッド器具である。（実施例１）
【図４】図４はa‐a´方向からみた側面図である。
【図５】図５はゴム板両面における対辺の縁にプラスチックの縁取りがある携帯パッド器具である。（実施例３）
【図６】図６はゴム板片面の対辺の縁がゴムの縁取りである携帯パッド器具の側面図である。（実施例４）
【図７】図７は携帯パッド器具を摘まんだ時の斜視図である。
【図８】図８は携帯パッド器具を胸ポケットに仕舞うときのイラストである。
【発明を実施するための形態】
【００１０】
手帳サイズの撓る厚さのゴム板１の周囲の縁、又は対辺の縁にプラスチックの縁取りを固着し、ゴム板の両面共をトイレットペーパーに接するパッド面、又は手押し面として使う。ゴム板の四隅は、丸めた方がよい。プラスチックの縁取りの断面は、長方形や台形等に適宜決めることができる。
【００１１】
ゴム板１は、折り合わせて除菌液を浸み込ませたトイレットロールを除菌時にずらさない摩擦力が得られればよく、ゴムの種類を問わない。
【実施例１】
【００１２】
図３の実施例は、ゴム板１両面における周囲の縁にプラスチックの縁取り２を固着した携帯パッド器具である。ゴム板周囲の側面３を縁取りで共に被ってもよい。
【００１３】
携帯パッド器具は、プラスチックの縁取りが服のポケット内の布を滑るように出し入れできる。
【実施例２】
【００１４】
実施例１の携帯パッド器具の片面のプラスチックの縁取りをゴムとするものである。
【００１５】
プラスチックの縁取りが服のポケット内の布に当たるような角度にすると滑るので、携帯パッド器具は出し入れに困らない。
【実施例３】
【００１６】
図５の実施例は、ゴム板１両面における対辺の縁にプラスチックの縁取り４を固着したものである。縁取りのある部分のゴム板の側面を縁取りで共に被ってもよい。
【００１７】
携帯パッド器具は、プラスチックの縁取りが服のポケット内の布を滑るように出し入れできる。
【実施例４】
【００１８】
実施例３の携帯パッド器具の片面のプラスチックの縁取りをゴム５とするものである。
【００１９】
プラスチックの縁取りが服のポケット内の布に当たるような角度にすると滑るので、携帯パッド器具は出し入れに困らない。
【産業上の利用可能性】
【００２０】
手帳サイズの成形したゴム板に、部分的にプラスチックを固着する。
【符号の説明】
【００２１】
１    ゴム板
２    ゴム板周囲の縁に固着したプラスチック
３    ゴム板周囲の側面
４    ゴム板対辺の縁に固着したプラスチック
５    ゴムの縁取り
【要約】      （修正有）【課題】公共施設のトイレの腰掛便器を使うために便座をアルコール系除菌液を含んだトイレットペーパーを用いて拭く場合、手指の荒れを防ぐための器具がない。そこで、胸ポケットに収まる便座除菌用の携帯パッド器具を提供する。【解決手段】手帳サイズの撓る厚さのゴム板１両面における周囲の縁にプラスチックの縁取り２を固着し、ゴム板両面をトイレットペーパーに接するパッド面及び手押し面として使い、ポケットに収まるパッド器具等により解決する。【選択図】図３【図１】
0006719688.tif 000002
【図２】
0006719688.tif 000003
【図３】
0006719688.tif 000004
【図４】
0006719688.tif 000005
【図５】
0006719688.tif 000006
【図６】
0006719688.tif 000007
【図７】
0006719688.tif 000008
【図８】
0006719688.tif 000009
(57)【特許請求の範囲】
【請求項１】
ダブルネックを備えるエレキギター／ベースであって、２つの分離した、完全に自律したギター／ベースを含み、該完全に自律したギター／ベースは、さらなる変換または追加もなく、簡単に２つに分離／結合され得るものであり、結合は第一の完全に自律したギター／ベースの少なくとも２か所の雄形部を介して行われ、該２か所の雄形部は、第一の完全に自律したギター／ベースの上側表面とツライチの第一の雄形部と、第一の完全に自律したギター／ベースの上側表面よりも下側にオフセットして位置する第二の雄形部とからなり、これらは第一の完全に自律したギター／ベースの側部の同じ側にあり、第一の雄形部は第二の雄形部よりも第一の完全に自律したギター／ベースのネックに近い側に位置する、前記エレキギター／ベース。
【請求項２】
請求項１に記載のダブルネックを備えるエレキギター／ベースであって、２つの分離した、完全に自律したギター／ベースは、左側から右側へ、または、右側から左側への両方で一組にされ得、ネジまたはクリップによって１つの単一の本体として一緒に保持される、前記エレキギター／ベース。
【請求項３】
請求項２に記載の、分離した完全に自律したエレキギター／ベースを含むエレキギター／ベースであって、３つ以上の、トリプルネック器具としての、または、さらに多くのネックを備える器具を構成する、前記エレキギター／ベース。
【請求項４】
請求項１〜３のいずれか一項に記載のエレキギター／ベースであって、該エレキギター／ベースが、少なくとも以下：６弦ギターを備える１２弦ギター、フレットレスベースを備えるフレット付ベース、およびベースを備えるギターのネックの組み合わせを可能にする、前記エレキギター／ベース。
【発明の詳細な説明】
【技術分野】
【０００１】
本発明は、ａ）２つの分離した自律したギター（例えば、１２弦および６弦ギター）に分離され得る、２つのネックを備える（例えば１２弦および６弦ネックを備える）エレキギター、ｂ）２つの自律したベース（例えばフレット付およびフレットレスベース）に分離され得る、２つのネック（例えばフレット付およびフレットレスネック）を備えるエレキベース、ｃ）２つの分離した自律した器具（例えば１つの６弦ギターおよびフレット付ベース）に分離され得る、２つのネックを備えるエレキギターおよびベース（例えば６弦ギターおよびフレット付ベース）の組み合わせに関する。いずれの場合にも、上述の楽器の分離は、それらの本体の特別に設計された構造によって可能となる。
【０００２】
２つのネックを備えるギター／ベースは、既に知られている。ダブルネックは、デュアルサウンドの性能を音楽演奏者に与え、同時に、音楽演奏の間、二重の役割をもつことを可能にする。ダブルネックギター／ベースは、主にライブ演奏のために意図される。例えば、音楽家がライブトラックを弾いている間、１２弦ギターを離して６弦ギターを取る時間がない。なぜなら、これは、少なくとも数秒間、演奏を完全に停止することを意味するだろうからである。逆に、２つのネックを備える器具を弾いている場合、１つのネックから他への変更は、気づかれないほどの時間であり、ほとんど瞬間的である。しかしながら、その増加するコストとは別に、ダブルネックを備える器具はまた、ライブ音楽の特定の状況のためのみの、非常に限定された使用しかない。このため、標準的なシングルネック器具が、たいていのギタリスト／ベーシストの音楽活動の大部分において使用され、それは音楽家がいつも主として所有するものである。よって、いずれのギタリスト／ベーシストにとっても、ダブルネックを備える器具を購入することは、おそらく頻繁には必要とされない器具のための高くて余分なコストである。
【発明の概要】
【０００３】
本発明の利点は、それ自体で、異なる状況においてユーザーのすべてのあり得る要求を果たし得るため、その多重の使用の可能性である。
【０００４】
本発明によるダブルネックを備えるエレキギター／ベースは、他のもともと個別の器具を購入する必要なしに、音楽家によって代替的に使用される個別のギター／ベースに分離され得るという特徴を有する。これは実際、「１つで３つ」のエレキギター／ベースである。例えば、本発明によって提案される型の２つのネック（フレット付-フレットレス）を備える、かかるエレキベースの保持者は、音楽の状況および要求に応じて、容易にそれをシングルフレット付およびシングルフレットレスベースに変換し得る。この転換は、分離された（飛び出された）エレキギター／ベース本体によって可能である。したがって、ギター／ベース本体が分裂するときはいつでも、２つの個別の自律した器具が生み出される。２つの自律した器具は、もちろん、音楽の状況が求める場合はいつでも容易に再結合する可能性を有し、再びもとのダブルネック器具を生み出す。
【図面の簡単な説明】
【０００５】
【図１】図１は、２つのエレキギター／ベース本体がダブルネック使用のために再結合される方法（ａを参照）、および、それから２つの自律した器具が生じるそれらの分離の仕方（ｂを参照）を示す。
【図２】図２は、ベースネック（フレット付-フレットレス）と組み合された図１の本体、および、単一のフレット付および単一のフレットレスベースが生じるそれらの分離の結果を示す。図２は、毎回異なるギターまたはベースネックを選択することによる結果となり得る、可能な組み合わせの１つにすぎない。
【０００６】
本発明を実施する１つの方法は、図面を参照して記載される。本体は、図において注意を引くように示されるとおり、（ａ）のように接続される場合、１つを他の内側で一組にするように設計され、および造られ、一方で、図１および２において図示されるとおり、穴（ｃ）および（ｄ）にねじ込まれるネジ（ネジは図面において示されない）によって一緒に保持される。
【０００７】
したがって、２つの本体の分離が必要とされる場合はいつでも、２つのネジをはずすことで足りる。ダブルネック（ａ）として器具を使用する場合、すなわち２つの本体が接続される場合、ネジとは別に、クリップ、クリップ軸または（毎回本体上へのまたは取り外し可能な）半施錠−解錠システムなどの、結び付けの他の型（そのいずれも示されない）が、穴（ｃ）および（ｄ）の内側のために使用され得る。
【図１】
0006719455.tif 000002
【図２】
0006719455.tif 000003
(57)【特許請求の範囲】
【請求項１】
カーカスの内部空洞内に含まれる空気を圧力下で密封するのに適した不透過層と、前記内部空洞内に収容された、音吸収の提供に適した発泡材料とを含むタイヤであって、
前記発泡材料がオーセチック材料であることを特徴とするタイヤ。
【請求項２】
前記発泡材料はポアソン比が０未満である、請求項１に記載のタイヤ。
【請求項３】
前記発泡材料は密度が０．０１〜０．１５ｇ／ｃｍ３の範囲である、請求項１または２に記載のタイヤ。
【請求項４】
前記発泡材料が前記タイヤの前記内部空洞の前記不透過層の表面上に収容されている、請求項１〜３のいずれか一項に記載のタイヤ。
【請求項５】
前記発泡材料が前記内部空洞の体積の０．１〜１００％の範囲の体積を占める、請求項１〜４のいずれか一項に記載のタイヤ。
【請求項６】
前記発泡材料は、厚さが１０〜２００ｍｍの範囲であり、幅が前記内部空洞の幅の１０〜１００％の範囲である、請求項５に記載のタイヤ。
【請求項７】
前記発泡材料が前記内部空洞の体積の０．４〜２０％の範囲の体積を占める、請求項１〜６のいずれか一項に記載のタイヤ。
【請求項８】
前記発泡材料は、厚さが２０〜３０ｍｍの範囲であり、幅が前記内部空洞の幅の２０〜４０％の範囲である、請求項７に記載のタイヤ。
【請求項９】
前記発泡材料が、円環体の形態、前記不透過層の長さと等しい長さを有する片の形態、または、前記不透過層の全長に亘るように組み立てられた複数の単一セグメントの形態で前記内部空洞内に収容されている、請求項１〜８のいずれか一項に記載のタイヤ。
【発明の詳細な説明】
【技術分野】
【０００１】
本発明は音吸収用発泡材料を含むタイヤに関する。より正確には、本発明は、使用に際して圧力下の空気が充填される内部空洞内に収容された、オーセチック（ａｕｘｅｔｉｃ）特性を有する発泡材料を含むタイヤに関する。
【背景技術】
【０００２】
使用中のタイヤに発生するノイズの一つは、内部空洞内の圧力下の空気の振動により発生する共鳴空洞音（ｒｅｓｏｎａｎｃｅ  ｃａｖｉｔｙ  ｓｏｕｎｄ）に関する。この種のノイズの低減を目的として、共鳴空洞音が多孔性材料により吸収されるように、これをタイヤの内部空洞の空気不透過層に付与して使用することが長年知られている。かかる目的のために最も一般的に使用されている多孔性材料はポリウレタンである。
【０００３】
要求される音吸収を達成することができるものの、今日まで使用されている発泡材料は、未だにタイヤの動作中、特にはタイヤ回転速度の上昇につれて音吸収能が低下してしまう。事実、タイヤの動作中、内部空洞内に収容された発泡材料は多孔率の低下を必ず伴う圧縮作用を受ける。当該分野の当業者には自明であるように、これは発泡材料の音吸収能の低下を必ず招いてしまう。タイヤの走行速度が速くなる程、音吸収の低下が大きくなることは明らかであろう。
【０００４】
言い換えると、車両が速く走行する程タイヤに挿入された多孔性材料の音減衰効果は小さくなり、その結果、タイヤから発生する共鳴ノイズは大きくなる。
【０００５】
したがって、タイヤ回転速度の上昇に伴う音吸収性能の低下を回避する技術スペックの発泡材料を得る必要があった。
【発明の概要】
【０００６】
本発明の主題は、カーカスの内部空洞内に含まれる空気を圧力下で密封するのに適した不透過層と、前記内部空洞内に収容された発泡材料とを含むタイヤであって、前記発泡材料がオーセチック材料であることを特徴とするタイヤである。
【０００７】
好ましくは、前記発泡材料はポアソン比が０未満である。
【０００８】
好ましくは、前記発泡材料は密度が０．０１〜０．１５ｇ／ｃｍ３の範囲である。
【０００９】
好ましくは、前記発泡材料はタイヤの内部空洞の不透過層の表面上に収容されている。
【００１０】
好ましくは、前記発泡材料は内部空洞の体積の０．１〜１００％の範囲の体積を占める。より好ましくは、前記発泡材料は厚さが１０〜２００ｍｍの範囲であり、幅が内部空洞の幅の１０〜１００％の範囲である。
【００１１】
好ましくは、前記発泡材料は内部空洞の体積の０．４〜２０％の範囲の体積を占める。より好ましくは、前記発泡材料は厚さが２０〜３０ｍｍの範囲であり、幅が内部空洞の幅の２０〜４０％の範囲である。
【００１２】
好ましくは、前記発泡材料は、円環体（ｔｏｒｏｉｄ）の形態、不透過層の長さと等しい長さを有する片（ｓｔｒｉｐ）の形態、または、不透過層の全長に亘るように組み立てられた複数の単一セグメントの形態で内部空洞中に収容される。
【発明を実施するための形態】
【００１３】
以下、一実施形態を非限定的な実施例により説明する。
【実施例】
【００１４】
出願人は、タイヤに通常使用されるポリウレタン系発泡材料の音吸収と、オーセチック特性の付与に必要な機械／熱処理をした同材料の音吸収とを比較した。
【００１５】
音吸収試験は、この２種類の材料について、「レスト」状態および圧縮状態（使用中のタイヤの多孔性材料のレスポンスをシミュレートするために圧縮を付与した状態）の両方の状態で行った。
【００１６】
使用したポリウレタン系発泡材料は、見掛け密度０．０２５ｇ／ｃｍ３、圧縮強度１．１ｋＰａ、引張強度１００ｋＰａ、破断伸び率５００％であった。
【００１７】
文献に記載の方法のうちの一つに従ってポリウレタン発泡材料をオーセチックにするために使用した手順を、以下、単に例示を目的として説明する。
【００１８】
寸法１３５ｍｍ×１３５ｍｍ×２７ｍｍの発泡材料サンプルを寸法１００ｍｍ×１００ｍｍ×２０ｍｍのモールド内で圧縮し（各軸方向に約２５％の圧縮）、次いで２００℃に１０分間加熱した。この加熱期間後、サンプルをモールドから取り出し、伸ばし、モールド内に再度挿入し、周囲温度に冷却した。この時点で、サンプルを１００℃に１時間再加熱した。
【００１９】
音吸収試験は、ＩＳＯ  １０５３４−２スタンダードに準拠して２００〜２０００Ｈｚの周波数範囲で行った。
【００２０】
そして、予想されるように、音吸収比較試験を行った。特に、（ｉ）未処理発泡材料（材料Ａ）に対する試験；（ｉｉ）動作時と同等の圧縮に供した未処理発泡材料（材料Ａｃ）に対する試験；（ｉｉｉ）処理発泡材料（材料Ｂ）に対する試験；および、（ｉｖ）動作時と同等の圧縮に供した処理発泡材料（材料Ｂｃ）に対する試験、の４つ音吸収試験を行った。
【００２１】
得られた数値を材料Ａについて得られた値に対して指数化し、表１に示す。
【００２２】
【表１】
0006661601.tif 000002
【００２３】
非オーセチック発泡材料（材料Ａ、材料Ａｃ）について得られた結果から、この材料の音吸収能は圧縮に供されると低下するという結論が得られる。逆に、オーセチック特性を有する発泡材料について得られた結果から、この発泡材料を圧縮に供すると音吸収能は低下しないだけでなく、上昇するという結論が得られる。したがって、実験試験の証拠は、オーセチック特性を有する発泡材料を使用すると、共鳴ノイズの減衰がタイヤ速度の上昇と共に低下しないだけでなく、実際には向上することを予想外にも示している。
(57)【特許請求の範囲】
【請求項１】
男女の別なく同形であり、一方の裾から腹部の上側を通り、他方の裾まで繋がる、二つのハンドルを有するファスナーにより、腹部中心から開くことができることを特徴とするオムツ替えパジャマズボン、ズボン下。
【請求項２】
ウエストサイドの縫い目に大きなスリットを設け、横からオムツが露出しない様にスリットに合った三角形の布を前側及び後側から引き出し、前側から引き出した布を後側から引き出した布を前に巻きつけ、腹部の状態にフィットしたところで、前側から引き出した布及び後側から引き出した布を面ファスナーで止めることができることを特徴とする、請求項１に記載のオムツ替えパジャマズボン、ズボン下。
【発明の詳細な説明】
【技術分野】
【０００１】  本発明は寝たきりの被介護人のパジャマズボン、ズボン下を簡単に着脱出来、オムツ替え、シビンの使用、薬の貼り替え等が出来、時間短縮、省エネルギーのパジャマズボン  ズボン下に関する。
【背景技術】
【０００２】  従来のパジャマはウエストにゴムやヒモが通っていたのが多くみられた。【０００３】  夏期には涼しい甚平風、作務衣タイプも有る。
【先行技術文献】
【特許文献】
【０００４】
【特許文献１】実用新案登録第３０７８６８０号
【発明の概要】
【発明が解決しようとする課題】
【０００５】  上記のパジャマズボンの２８、三方からの集合点になっていて、下の世話をするのに一番取り扱いが多いところなのにスペースが無く作業が滞る。【０００６】  ２８、２９の１本のファスナーの開口の広さでは狭小。ズボンやズボン下を下にずらしてオムツの交換はかさばるので交換しずらい。
又、シビンを用意するスペースが確保出来ない。【０００７】  本発明は、ウエストの締め付けが無く、両足の裾から大腿部、腹部の上を円の形で切り取った様に２つのハンドルを持ったファスナーで開口するので殆んどの下の世話をするスペースが取れる。
【課題を解決するための手段】
【０００８】  本発明に係るズボン、ズボン下はズボンをはき替える場合両ウエストサイドのスリットの面ファスナーを外し上を向いて寝ている状態を９０度転じてスリット部から尻、腹を出してズボンを下に少し引張って体を元の体勢に戻すと両足が出る。
着る時も体を９０度転じ上になっているスリットから足を入れスリットを面ファスナーで閉じ下になっている方も同様にする。
【発明の効果】
【０００９】  本発明は、寝たきりの人はズボンのウエストの締め付けは不必要である。介護人にとっては邪魔で余分な力を使い扱いづらい。
大きいスリットと面ファスナーが代りになると、被介護人のウエストの状態に合わせその都度加減することが出来お互い勝手が良い。疲れない。【００１０】  また、ファスナーのハンドル２本を腹部中央にスタンバイさせておくと、直ちに左右にオープン出来、両足と腹部を開げて下の世話は全て一度に済ませることが出来重労働は過去のものになる。
よって心配な介護による体形の歪み、体の不具合いも気にせず互いにより良い日々を送ることが出来る。
【図面の簡単な説明】
【００１１】
【図１】本発明の前の部分のパジャマズボン、ズボン下
【図２】本発明の後ろの部分のパジャマズボン、ズボン下
【図３】本発明のスリットの扱い方。
【発明を実施するための形態】
【００１２】  男性用、女性用の別は無く福祉用具に有り勝ちな色合いではなく明るい色調、模様の生地を用いる。
標準の型紙ではなく前身頃と後ろ身頃とからなる〔図１〕〔図２〕。
〔図２〕の後ろは前よりも胴廻りは大きめで股上を長くする。
体側の縫い止りＣは股の高さにしてスリットを大きくする。
〔図１〕前身頃のスリットよりオムツが露出しない様にＤＦの布を増す。
１、３の上辺の外になる部分に面ファスナーを付ける。
〔図２〕後ろ身頃のスリットは面ファスナーを止める意味あいのものでＤＦより小振りでＥＦの布を２、３の上辺の内側に面ファスナーを施す。
【００１３】  両足の裾の中心の外側ア・ウから大腿部、上腹部イに繋ぐ２つのハンドルを持つ１本のファスナーを設ける。
２つのハンドルは常時腹部中央にスタンバイしておく。
前の殆んどがオープンになるのでズボン、ズボン下を触ることを少なくして楽に済む。
【符号の説明】
【００１４】ア、イ、ウ        １本のファスナーを施す位置
エ                １本のファスナーに左右に動くハンドル
Ａ、Ｂ、Ａ’Ｂ’  ズボンの縫い始め
Ｃ                縫い止まり
Ｃ〜Ｄ            前身のスリットに布
Ｃ〜Ｆ            前身のスリットに布
Ｃ〜Ｅ            後ろ身のスリットに布
Ｃ〜Ｇ            後ろ身のスリットに布
１、３の上辺外側に面ファスナー
２、４の上辺内側に面ファスナー
【要約】      （修正有）【課題】寝たきりの被介護人のズボン等の着脱を簡単に出来るような時間短縮、省エネルギーのパジャマズボン、ズボン下を提供する。【解決手段】オムツ替えはズボンに触れることをしないで上腹にスタンバイしている二つのハンドルを左右に開き、腹、大腿部、膝まで出し、被介護人の上向き寝の状態を９０度転じて尻中心にオムツをして下になる方のオムツをマットを潜らせ向うに渡す。オムツを整えファスナーを閉る。ズボン、ズボン下の着脱はウエストの大きなスリットで開口を保ち上向き寝の体勢を９０度転じ後ろは尻を出し、前は腹を出しズボンの脚を下に引っ張ると脱げる。着る時はスリットから両足を入れ、上向き状態を９０度に転じ上になっている方から脚にたぐり寄せ、片方の足も同様にして上向き状態に戻してフリット面ファスナーで止める。【選択図】図１【図１】
0006717888.tif 000002
【図２】
0006717888.tif 000003
【図３】
0006717888.tif 000004
(57)【特許請求の範囲】
【請求項１】
揺動することで音が鳴る発音体と、
風や手で触れる等の小さい力を受けて前記発音体を揺動させる作用体とを備え、
前記発音体は自立揺動可能なベース部と、当該ベース部に支承部を介して取り付けた発音部とで内部空間を形成してあり、前記ベース部に設けた転がり部に転がり可能に打鈴部材を載置してあり、
前記内部空間内を前記打鈴部材が転がることで音が鳴るものであることを特徴とする鈴。
【請求項２】
前記発音体に前記作用体が脱着自在に取り付けられていることを特徴とする請求項１記載の鈴。
【発明の詳細な説明】
【技術分野】
【０００１】
本発明は風を受けたり、手等で軽く触れるだけで揺れ、音が鳴る鈴に関する。
【背景技術】
【０００２】
従来の風鈴は色々な改良がされているものの、特許文献１，２等に開示されているように、いずれも吊り下げた短冊体や、風受体が風で振れ舌が風鈴本体を打ち鳴らすものである。
これに対して本発明者は、鈴本体を家具や建築物の平面部等に置いておき、風を受けて揺れたり、軽く手で触れて揺らすことで音が鳴る鈴を検討した結果、本発明に至った。
【先行技術文献】
【特許文献】
【０００３】
【特許文献１】実用新案第３０１７４５０号公報
【特許文献２】実開昭６０−１８６４９８号公報
【発明の概要】
【発明が解決しようとする課題】
【０００４】
本発明は、風を受けたり、手で触れる等、小さな力で揺らすだけで音が鳴る鈴の提供を目的とする。
【課題を解決するための手段】
【０００５】
本発明に係る鈴は、揺動することで音が鳴る発音体と、風や手で触れる等の小さい力を受けて前記発音体を揺動させる作用体とを備えたことを特徴とする。
ここで、発音体に前記作用体が脱着自在に取り付けられているのが好ましい。
作用体は、風や小さい力を受けて、発音体を揺らすものである。
この作用体を季節や環境に合せて取り替えることで、意匠性に優れた鈴となる。
【０００６】
本発明において、発音体は内部に打鈴部材を吊り下げてもよいが、発音体は自立揺動可能なベース部と、当該ベース部に支承部を介して取り付けた発音部とで内部空間を形成してあり、前記ベース部に設けた転がり部に転がり可能に打鈴部材を載置してあり、前記内部空間内を前記打鈴部材が転がることで音が鳴るものである構造例が例として挙げられる。
【発明の効果】
【０００７】
本発明に係る鈴は、色々な場所においておくことができ、作用体が風を受けて揺れたり、作用体を軽く手で触れるだけで発音体が揺れ、音が鳴る。
また、作用体のデザインを季節の移り変わりや、置いておく場所、周囲の環境等に合せて取り替え、楽しむことができる。
【図面の簡単な説明】
【０００８】
【図１】（ａ），（ｂ）は作用体が風を受けて発音体が揺れる状態を示す。
【図２】（ａ）は発音体の断面構造例を示し、（ｂ）は外観図を示す。
【図３】作用体を発音体から取り外した状態を示す。
【図４】発音体の分解図を示す。
【図５】作用体の各種例を示す。
【発明を実施するための形態】
【０００９】
本発明に係る鈴の構造例を図１に示し、発音体の構造例を図２に示す。
本発明に係る鈴は、自立した状態で揺動可能な発音体１０と風を受けたり、手で軽く触れることで、この発音体１０を揺らすための作用体２０からなる。
作用体２０は、図３に示すように発音体に着脱自在に取り付けられている。
取り付け，取り外し可能であればどのような着脱手段でもよいが、本実施例は図２に示すように、羽根状の作用体２０の下端部２１を発音体１０に取り付けた取付具１４のスリット状の差し込み部１４ａに差し込む例になっている。
作用体２０の形状例を図５に示す。
軽い素材で鳥の羽根のようにしたもの、春に合せて双葉や花びらの形状にしたもの、夏に合せてうちわ状にしたもの、秋に合せて短冊状にしたもの、あるいは半月状や発音体に絵を描いたもの等、各種デザインの作用体２０を用いることができる。
【００１０】
発音体１０の構造例を図２に示し、分解図を図４に示す。
自立した状態で揺動可能であれば、構造そのものに制限がない。
例えば、中空の内部空間に打鈴部材を紐等で吊り下げてもよい。
本実施例は錘となり、底面が球面状の重量部１１ａを備えたベース部１１と、打鈴部材１５が転がり当たることで、音が鳴る発音部１２とを有する。
作用体２０は、風が受けやすいように軽い素材で大きな面積を有するものが好ましいのに対して、発音体１０は音が出やすい、例えば金属製やガラス製が好ましい。
【００１１】
発音体１０のベース部１１の中央部には、立設した円柱状の立設部１１ｃと、その周囲に凹部状の転がり部１１ｂが形成されている。
立設部１１ｃにめねじ部１１ｄを形成し、支柱となる支承部材１３をおねじ部１３ａで連結し、この支承部材１３の上部に設けためねじ部１３ｃに取付具のおねじ部１４ｂを螺着する際に、この取付具１４と支承部材１３の受け部１３ｂで挟み込むように発音部１２を連結してある。
発音部は、内側に空間部が形成されるようにお椀状であり、ベース部１１との間に隙間ｄを形成し、共鳴音が響くようになっている。
外形が球体状の発音体の底部が重量部１１ａとなり、底面が球面形状となっているので、左右，前後に揺動可能でありながら自立している。
【００１２】
打鈴部材１５は、ベース部１１の上面凹部状の転がり部１１ｂに沿って転がるようになっていて、作用体に風や手等による小さい力が加わり、発音体が左右，前後に揺れることで、この打鈴部材１５がお椀状の発音部１２の下側端部に当たり発音部１２が振動し、共鳴音がなる。
打鈴部材１５は、転がるものであれば球形だけでなく、異形状であってもよい。
また、発音部を支承できれば本実施例のように、支承部材１３と発音部１２とを別部品にすることなく、一体的に形成してもよい。
【００１３】
本発明に係る鈴は、デザイン性に優れ、風を受けて鳴る風鈴として使用できる。
また、手で軽く作用体を振れても鳴るので、それを楽しんだり、呼び鈴のように、置きベル等としても使用できる。
【符号の説明】
【００１４】
１０        発音体
１１        ベース部
１１ａ      重量部
１１ｂ      転がり部
１２        発音部
１３        支承部材
１４        取付具
１５        打鈴部材
２０        作用体
【図１】
0006717458.tif 000002
【図２】
0006717458.tif 000003
【図３】
0006717458.tif 000004
【図４】
0006717458.tif 000005
【図５】
0006717458.tif 000006
(57)【特許請求の範囲】
【請求項１】
Ａｕ、Ｃｕ、Ａｇ、Ｚｎ、Ｉｎからなる金合金であって、Ａｕが４０〜５０質量％の金合金において、Ｃｕを３５〜４５質量％、Ａｇを８〜２０質量％、Ｚｎを１〜８質量％、Ｉｎを１〜１０質量％としたことを特徴とする金合金。
【発明の詳細な説明】
【技術分野】
【０００１】
本発明は、指輪、ネックレス、ブローチ等の宝飾品に主に用いることができ、そのほか工業的な金合金材としても使用することが可能な金合金に関する。
【背景技術】
【０００２】
一般的に宝飾用金材料としては、２４金、１８金、１２金、１０金等様々な品位の金材料が開発され、色調については、イエローゴールド、ホワイトゴールド、ピンクゴールドなど様々な色調の宝飾用金合金が開発されて実用化されてきた。
【０００３】
その中でも、イエローゴールドについては、黄色をおびているものの、純金に近い黄金色を帯びているため様々な品位において多くの配合値の材料が開発、実用化されている（例えば、特許文献１）。
【先行技術文献】
【特許文献】
【０００４】
【特許文献１】特開平９−１３１３２号公報
【発明の開示】
【発明が解決しようとする課題】
【０００５】
しかしながら、１２金や１０金といったＡｕが５０質量％以下の安価で求めやすい低品位のＡｕ合金においては、Ａｕ以外の元素を多量に添加しなければならず、そのために金本来の黄金色の色調を発現させることが困難である。
【０００６】
また、溶解時に揮発しやすい元素が含まれる場合、宝飾用として再溶解を行うと、その構成元素が揮発して色調が変化してしまうという問題もある。
【０００７】
そこで、本発明は、１２金や１０金といったＡｕが５０質量％以下であるＡｕ合金において、純金本来が持つ黄金色に近い色調を発現させることができるイエローゴールドを得ることを目的とする。
【課題を解決するための手段】
【０００９】
本発明による金合金は、Ａｕ、Ｃｕ、Ａｇ、Ｚｎ、Ｉｎからなり、Ａｕを４０〜５０質量％、Ｃｕを３５〜４５質量％、Ａｇを８〜２０質量％、Ｚｎを１〜８質量％、Ｉｎを１〜１０質量％としたことを特徴とする。
【００１０】
以上の本願発明の構成おいて、Ａｕは主成分であり、Ａｕ本来の黄金色をもたせる役目をもつ。
【００１１】
Ａｇ、ＣｕおよびＺｎは、Ａｕ本来の黄金色を保持するための添加元素であり、この三つの元素を配合比率を制御して組み合わせることにより金本来の黄金色をもつイエローゴールドを提供することを可能にした。
【００１２】
また、上記組成にＩｎを１〜１０質量％添加することによって、宝飾用として再溶解を繰り返しても他の構成元素が揮発しにくくなり、その結果、再溶解を繰り返しても色調が変化することのないイエローゴールドとすることが可能となる。
【００１３】
以上を構成する元素を所望の量で配合して、約１１００℃の温度で溶解し、ロストワックス法等の鋳造工程を経て、指輪、ネックレス、ペンダント等の宝飾品に加工する。
【００１４】
ここで、Ａｕの量を４０質量％以上とするのは、Ａｕ特有の黄金色を得るためであり、５０質量％以下とするのは、低品位のＡｕ合金とするためである。
【００１５】
Ｃｕは、赤色の色調を与える効果があり、３５質量％未満だと同時に添加するＡｇによる銀色の色調が強くなり過ぎ、４５質量％を超えると赤色の色調が強くなり過ぎてしまうためである。また、同時に添加するＡｇとによって機械的強度が向上し、宝飾品として使用時におけるキズの発生を防ぎ外観品質低下を抑制することができる。
【００１６】
Ａｇは、銀色の色調を与える効果があり、８質量％以下になると、Ｃｕによる赤色の色調が強くなり過ぎてしまうためであり、２０質量％を超えると銀色の色調が強くなり過ぎてしまうためである。
【００１７】
Ｚｎは、Ａｕ、Ｃｕと合わせることによって黄金色の色調を出すことが可能となり、１質量％以下ではその効果が低く、８質量％を超えると、再溶解時の揮発が大きくなって色調の再現が難しくなるためである。
【００１８】
また、Ｚｎの添加は鋳造性の向上や溶解時の脱酸材としての効果も有する。
【００１９】
つぎに、Ｉｎは、構成元素の揮発を抑制して合金の再溶解前後における組成変化を抑制する効果がある。特に、Ｚｎの揮発抑制についてきわめて有効である。この効果により、再溶解前後における色調差異のないイエローゴールドを得ることができる。１質量％未満ではその効果が低く、１０質量％を超えると白色を帯びてしまう。また、Ｚｎと同時に添加することにより、さらなる鋳造性の向上が図れる。
【発明を実施するための形態】
【００２０】
表１に実施例と共に比較例を示す。
【００２１】
【表１】
0006728528.tif 000002
【００２２】
なお、色調の評価サンプルは、材料を配合して約１１００℃で溶解鋳造したインゴットを作製し、インゴットを圧延して板状とし、その表面をバフ研磨した後、色調を肉眼と色差計で評価した。
【００２３】
色調の評価基準として、７５質量％Ａｕ、１２．５質量％Ａｇ、１２．５質量％Ｃｕからなる代表的なＫ１８イエローゴールドを上記と同じ条件で作製し、実施例との相対評価を行った。Ｋ１８イエローゴールドの色調と比べて差異がない場合は「黄」、差異がある場合はその色調を示した。
【００２４】
評価後、さらにこの各種合金を同様の条件にて再度溶解および加工を施し、その色調に差異がないかどうかを同様に再度評価した。
【００２５】
また、再溶解前後で合金組成に差異がないかどうかをＩＣＰ発光分光分析にて分析し、再溶解前後で色調や合金組成に差異がある場合には「×」、差異がない場合には「○」と評価した。
【００２６】
本願発明によると、Ａｕが５０質量％以下の低品位でありながら、純金が本来持っている黄金色に近い色調を有する宝飾用のイエローゴールドが得られる。
【００２７】
また、Ｉｎを添加することによって、再溶解を行ってもこれらの構成元素が揮発することがなく、再溶解前後での色調や合金組成に差異が生じない。